(57)【要約】【課題】映像データを正しく表示することができるマルチスクリーン表示装置を提供すること。【解決手段】本発明のマルチスクリーン表示装置は、表示装置２−１〜２−ｎ（ｎは２以上の整数）のそれぞれに対して設けられた表示制御装置１−１〜１−ｎと、制御装置３とを具備する。表示制御装置１−１〜１−ｎは、表示装置２−１〜２−ｎによりマルチスクリーンが形成されるように第１番目から第ｎ番目まで順に接続されている。制御装置３は、表示制御装置１−１〜１−ｎのそれぞれに対して装置ＩＤ列の中のｎ個の装置ＩＤのそれぞれを割り当てる。装置ＩＤ列の中のｎ個の装置ＩＤのそれぞれに対して映像データを構成する映像ブロック列の中のｎ個の映像ブロックのそれぞれが対応付けられている。制御装置３は、装置ＩＤ列に基づいて、映像ブロック列の中のｎ個の映像ブロックのそれぞれが表示装置２−１〜２−ｎのそれぞれに表示されるように表示制御装置１−１〜１−ｎを制御する。制御装置３は、装置ＩＤ列の中のｎ個の装置ＩＤの順番を外部命令に従って変更する。【選択図】  図１
2004341188.tif 000002
【特許請求の範囲】
【請求項１】
ｎ個（ｎは２以上の整数）の表示装置のそれぞれに対して設けられ、前記ｎ個の表示装置によりマルチスクリーンが形成されるように第１番目から第ｎ番目まで順に接続されたｎ個の表示制御装置と、
前記ｎ個の表示制御装置のそれぞれに対して装置ＩＤ列の中のｎ個の装置ＩＤのそれぞれを割り当てるＩＤ設定制御部と、前記装置ＩＤ列の中のｎ個の装置ＩＤのそれぞれに対して映像データを構成する映像ブロック列の中のｎ個の映像ブロックのそれぞれが対応付けられ、
前記装置ＩＤ列に基づいて、前記映像ブロック列の中のｎ個の映像ブロックのそれぞれが前記ｎ個の表示装置のそれぞれに表示されるように前記ｎ個の表示制御装置を制御する映像制御部とを具備し、
前記ＩＤ設定制御部は、前記装置ＩＤ列の中のｎ個の装置ＩＤの順番を外部命令に従って変更する
マルチスクリーン表示装置。
【請求項２】
請求項１に記載されたマルチスクリーン表示装置において、
前記ｎ個の表示装置に表示される前記映像ブロック列の中のｎ個の映像ブロックのうちの第１映像ブロック群の表示位置が変更されるとき、
前記ＩＤ設定制御部は、前記外部命令に従って、前記第１映像ブロック群の第１映像ブロックのそれぞれに対して対応する前記装置ＩＤ列の中のｎ個の装置ＩＤの第１装置ＩＤの順番を変更する
マルチスクリーン表示装置。
【請求項３】
請求項１又は２に記載されたマルチスクリーン表示装置において、
前記外部命令は、前記ＩＤ設定制御部を操作する操作者により行われる
マルチスクリーン表示装置。
【請求項４】
請求項１〜３のいずれか一項に記載されたマルチスクリーン表示装置において、
前記ＩＤ設定制御部は、前記ｎ個の表示制御装置のそれぞれに対して前記装置ＩＤ列の中のｎ個の装置ＩＤのそれぞれを割り当てるために、第１ＩＤ設定コマンドを前記ｎ個の表示制御装置のうちの第１番目の表示制御装置に送信し、
前記第１ＩＤ設定コマンドは、第１番目から第ｎ番目まで順に配列された前記装置ＩＤ列の中のｎ個の装置ＩＤを含み、
第ｊ番目の表示制御装置（１≦ｊ≦ｎを満たす整数）は、
記憶装置と、
第ｊＩＤ設定コマンドに含まれる前記装置ＩＤ列の中の｛ｎ−（ｊ−１）｝個の装置ＩＤのうちの第ｊ番目の装置ＩＤを前記第ｊ番目の表示制御装置の前記記憶装置に登録する登録部と、
前記ｊが前記ｎ以外のとき、第（ｊ＋１）ＩＤ設定コマンドを生成して第（ｊ＋１）番目の表示制御装置に送信する生成部とを備え、
前記第（ｊ＋１）ＩＤ設定コマンドは、第（ｊ＋１）番目から第ｎ番目まで順に配列された前記装置ＩＤ列の中の（ｎ−ｊ）個の装置ＩＤを含む
マルチスクリーン表示装置。
【請求項５】
請求項４に記載されたマルチスクリーン表示装置において、
前記ｊが前記ｎのとき、前記第ｊ番目の表示制御装置の前記生成部は、前記第（ｊ＋１）ＩＤ設定コマンドとして設定完了情報を生成して、前記第（ｊ＋１）番目の表示制御装置として前記映像制御部に前記設定完了情報を送信し、
前記設定完了情報は、前記ｎ個の表示制御装置のそれぞれに対して前記装置ＩＤ列の中のｎ個の装置ＩＤのそれぞれが割り当てられたことを表す
マルチスクリーン表示装置。
【請求項６】
請求項４又は５に記載されたマルチスクリーン表示装置において、
前記映像制御部は、前記映像ブロック列の中のｎ個の映像ブロックのそれぞれを前記ｎ個の表示制御装置のそれぞれによって前記ｎ個の表示装置のそれぞれに表示するために、ｎ個の映像制御コマンドを前記第１番目の表示制御装置に送信し、
ｎ個の映像制御コマンドのそれぞれに対して前記装置ＩＤ列の中のｎ個の装置ＩＤのそれぞれが含まれ、
前記第ｊ番目の表示制御装置は、更に、
映像処理部と、
｛ｎ−（ｊ−１）｝個の映像制御コマンドのうちの一致映像制御コマンドを検出したときに、前記映像処理部を起動する起動部と、前記一致映像制御コマンドは、前記第ｊ番目の表示制御装置の前記記憶装置に登録された装置ＩＤに一致する装置ＩＤを含み、
前記ｊが前記ｎ以外のとき、前記一致映像制御コマンド以外の（ｎ−ｊ）個の映像制御コマンドを前記第（ｊ＋１）番目の表示制御装置に送信する送信部とを備え、
前記映像制御部は、前記装置ＩＤ列の中のｎ個の装置ＩＤのそれぞれに対応する前記映像ブロック列の中のｎ個の映像ブロックのそれぞれを前記ｎ個の表示制御装置のそれぞれに送信し、
前記第ｊ番目の表示制御装置の前記映像処理部は、前記映像制御部から送信された映像ブロックを前記第ｊ番目の表示制御装置に設けられた表示装置に表示する
マルチスクリーン表示装置。
【請求項７】
ｎ個（ｎは２以上の整数）の表示装置のそれぞれに対して設けられ、前記ｎ個の表示装置によりマルチスクリーンが形成されるように第１番目から第ｎ番目まで順に接続されたｎ個の表示制御装置を具備するマルチスクリーン表示装置を制御する制御方法であって、
（ａ）前記ｎ個の表示制御装置のそれぞれに対して装置ＩＤ列の中のｎ個の装置ＩＤのそれぞれを割り当てるステップと、前記装置ＩＤ列の中のｎ個の装置ＩＤのそれぞれに対して映像データを構成する映像ブロック列の中のｎ個の映像ブロックのそれぞれが対応付けられ、
（ｂ）前記装置ＩＤ列に基づいて、前記映像ブロック列の中のｎ個の映像ブロックのそれぞれが前記ｎ個の表示装置のそれぞれに表示されるように前記ｎ個の表示制御装置を制御するステップと、
（ｃ）前記装置ＩＤ列の中のｎ個の装置ＩＤの順番を外部命令に従って変更するステップと
を具備するマルチスクリーン表示装置の制御方法。
【請求項８】
請求項７に記載されたマルチスクリーン表示装置の制御方法において、
前記（ｃ）のステップは、
（ｃ１）前記ｎ個の表示装置に表示される前記映像ブロック列の中のｎ個の映像ブロックのうちの第１映像ブロック群の表示位置が変更されるとき、前記外部命令に従って、前記第１映像ブロック群の第１映像ブロックのそれぞれに対して対応する前記装置ＩＤ列の中のｎ個の装置ＩＤの第１装置ＩＤの順番を変更するステップを含む
マルチスクリーン表示装置の制御方法。
【請求項９】
請求項７又は８に記載されたマルチスクリーン表示装置の制御方法において、
前記（ａ）のステップは、
（ａ１）前記ｎ個の表示制御装置のそれぞれに対して前記装置ＩＤ列の中のｎ個の装置ＩＤのそれぞれを割り当てるために、第１ＩＤ設定コマンドを前記ｎ個の表示制御装置のうちの第１番目の表示制御装置に送信するステップと、前記第１ＩＤ設定コマンドは、第１番目から第ｎ番目まで順に配列された前記装置ＩＤ列の中のｎ個の装置ＩＤを含み、
（ａ２）第ｊ番目の表示制御装置（１≦ｊ≦ｎを満たす整数）が、第ｊＩＤ設定コマンドに含まれる前記装置ＩＤ列の中の｛ｎ−（ｊ−１）｝個の装置ＩＤのうちの第ｊ番目の装置ＩＤを前記第ｊ番目の表示制御装置の記憶装置に登録するステップと、
（ａ３）前記ｊが前記ｎ以外のとき、前記第ｊ番目の表示制御装置が、第（ｊ＋１）ＩＤ設定コマンドを生成して第（ｊ＋１）番目の表示制御装置に送信するステップとを含み、
前記第（ｊ＋１）ＩＤ設定コマンドは、第（ｊ＋１）番目から第ｎ番目まで順に配列された前記装置ＩＤ列の中の（ｎ−ｊ）個の装置ＩＤを含む
マルチスクリーン表示装置の制御方法。
【請求項１０】
請求項９に記載されたマルチスクリーン表示装置の制御方法において、
前記（ｂ）のステップは、
（ｂ１）前記映像ブロック列の中のｎ個の映像ブロックのそれぞれを前記ｎ個の表示制御装置のそれぞれによって前記ｎ個の表示装置のそれぞれに表示するために、ｎ個の映像制御コマンドを前記第１番目の表示制御装置に送信するステップと、ｎ個の映像制御コマンドのそれぞれに対して前記装置ＩＤ列の中のｎ個の装置ＩＤのそれぞれが含まれ、
（ｂ２）前記第ｊ番目の表示制御装置が、｛ｎ−（ｊ−１）｝個の映像制御コマンドのうちの一致映像制御コマンドを検出したときに、非表示モードから表示モードに切り換えるステップと、前記一致映像制御コマンドは、前記第ｊ番目の表示制御装置の前記記憶装置に登録された装置ＩＤに一致する装置ＩＤを含み、（ｂ３）前記ｊが前記ｎ以外のとき、前記第ｊ番目の表示制御装置が、前記一致映像制御コマンド以外の（ｎ−ｊ）個の映像制御コマンドを前記第（ｊ＋１）番目の表示制御装置に送信するステップと、
（ｂ４）前記装置ＩＤ列の中のｎ個の装置ＩＤのそれぞれに対応する前記映像ブロック列の中のｎ個の映像ブロックのそれぞれを前記ｎ個の表示制御装置のそれぞれに送信するステップと、
（ｂ５）前記表示モードのとき、前記第ｊ番目の表示制御装置が、前記送信された映像ブロックを前記第ｊ番目の表示制御装置に設けられた表示装置に表示するステップとを含む
マルチスクリーン表示装置の制御方法。
【請求項１１】
ｎ個（ｎは２以上の整数）の表示制御装置に接続された制御コンピュータに備えられたコンピュータプログラムであって、前記ｎ個の表示制御装置のそれぞれに対してｎ個の表示装置のそれぞれが設けられ、前記ｎ個の表示制御装置は、前記ｎ個の表示装置によりマルチスクリーンが形成されるように第１番目から第ｎ番目まで順に接続され、
（ａ）前記ｎ個の表示制御装置のそれぞれに対して装置ＩＤ列の中のｎ個の装置ＩＤのそれぞれを割り当てるステップと、前記装置ＩＤ列の中のｎ個の装置ＩＤのそれぞれに対して映像データを構成する映像ブロック列の中のｎ個の映像ブロックのそれぞれが対応付けられ、
（ｂ）前記装置ＩＤ列に基づいて、前記映像ブロック列の中のｎ個の映像ブロックのそれぞれが前記ｎ個の表示装置のそれぞれに表示されるように前記ｎ個の表示制御装置を制御するステップと、
（ｃ）前記装置ＩＤ列の中のｎ個の装置ＩＤの順番を外部命令に従って変更するステップと
を前記制御コンピュータに実行させるコンピュータプログラム。
【請求項１２】
請求項１１に記載されたコンピュータプログラムにおいて、
前記（ｃ）のステップは、
（ｃ１）前記ｎ個の表示装置に表示される前記映像ブロック列の中のｎ個の映像ブロックのうちの第１映像ブロック群の表示位置が変更されるとき、前記外部命令に従って、前記第１映像ブロック群の第１映像ブロックのそれぞれに対して対応する前記装置ＩＤ列の中のｎ個の装置ＩＤの第１装置ＩＤの順番を変更するステップを含む
コンピュータプログラム。
【請求項１３】
ｎ個（ｎは２以上の整数）の表示装置のそれぞれに対して設けられていて前記ｎ個の表示装置によりマルチスクリーンが形成されるように第１番目から第ｎ番目まで順に接続されたｎ個の表示制御コンピュータに備えられたコンピュータプログラムであって、
（ａ）前記ｎ個の表示制御コンピュータのそれぞれに対して装置ＩＤ列の中のｎ個の装置ＩＤのそれぞれを割り当てるための第１ＩＤ設定コマンドを前記ｎ個の表示制御コンピュータのうちの第１番目の表示制御コンピュータが受信するステップと、前記第１ＩＤ設定コマンドは、第１番目から第ｎ番目まで順に配列された前記装置ＩＤ列の中のｎ個の装置ＩＤを含み、
（ｂ）第ｊ番目の表示制御コンピュータ（１≦ｊ≦ｎを満たす整数）が、第ｊＩＤ設定コマンドに含まれる前記装置ＩＤ列の中の｛ｎ−（ｊ−１）｝個の装置ＩＤのうちの第ｊ番目の装置ＩＤを前記第ｊ番目の表示制御コンピュータの記憶装置に登録するステップと、
（ｃ）前記ｊが前記ｎ以外のとき、前記第ｊ番目の表示制御コンピュータが、第（ｊ＋１）番目から第ｎ番目まで順に配列された前記装置ＩＤ列の中の（ｎ−ｊ）個の装置ＩＤを含む第（ｊ＋１）ＩＤ設定コマンドを生成して第（ｊ＋１）番目の表示制御コンピュータに送信するステップと、前記装置ＩＤ列の中のｎ個の装置ＩＤのそれぞれに対して映像データを構成する映像ブロック列の中のｎ個の映像ブロックのそれぞれが対応付けられ、
（ｄ）前記映像ブロック列の中のｎ個の映像ブロックのそれぞれを前記ｎ個の表示装置のそれぞれに表示するためのｎ個の映像制御コマンドを前記第１番目の表示制御コンピュータが受信するステップと、ｎ個の映像制御コマンドのそれぞれに対して前記装置ＩＤ列の中のｎ個の装置ＩＤのそれぞれが含まれ、
（ｅ）前記第ｊ番目の表示制御コンピュータが、｛ｎ−（ｊ−１）｝個の映像制御コマンドのうちの一致映像制御コマンドを検出したときに、非表示モードから表示モードに切り換えるステップと、前記一致映像制御コマンドは、前記第ｊ番目の表示制御コンピュータの前記記憶装置に登録された装置ＩＤに一致する装置ＩＤを含み、
（ｆ）前記ｊが前記ｎ以外のとき、前記第ｊ番目の表示制御コンピュータが、前記一致映像制御コマンド以外の（ｎ−ｊ）個の映像制御コマンドを前記第（ｊ＋１）番目の表示制御装置に送信するステップと、
（ｇ）前記装置ＩＤ列の中のｎ個の装置ＩＤのそれぞれに対応する前記映像ブロック列の中のｎ個の映像ブロックのそれぞれを前記ｎ個の表示制御コンピュータのそれぞれが受信するステップと、
（ｈ）前記表示モードのとき、前記第ｊ番目の表示制御コンピュータが、前記送信された映像ブロックを前記第ｊ番目の表示制御コンピュータに設けられた表示装置に表示するステップと
を前記ｎ個の表示制御コンピュータのそれぞれに実行させ、
前記装置ＩＤ列の中のｎ個の装置ＩＤの順番は変更可能である
コンピュータプログラム。
【発明の詳細な説明】
【０００１】
【発明の属する技術分野】
本発明は、マルチスクリーンを形成するｎ個（ｎは２以上の整数）の表示装置を具備するマルチスクリーン表示装置に関する。
【０００２】
【従来の技術】
近年、マルチスクリーン表示装置が普及している。マルチスクリーン表示装置は、ｎ個の表示装置を備えている。ｎ個の表示装置は、マルチスクリーンが形成されるように第１番目から第ｎ番目まで順に通信ケーブルを介して接続され、通常、ｍ行・ｍ列（ｍ２＝ｎ）に配列されている。
【０００３】
ｎ個の表示装置の接続順は予めに決められている。ｎ個の表示装置のそれぞれに対して、映像データを構成する映像ブロック列の中のｎ個の映像ブロックのそれぞれが対応付けられている。マルチスクリーン表示装置では、ｎ個の表示装置の接続順に基づいて、映像データを構成する映像ブロック列の中のｎ個の映像ブロックのそれぞれをｎ個の表示装置のそれぞれに表示する。これにより、マルチスクリーンには映像データが表示される。
【０００４】
しかしながら、ｎ個の表示装置のそれぞれに接続される通信ケーブルの配線の制約によって、ｎ個の表示装置の接続順が変更される場合がある。この場合、従来のマルチスクリーン表示装置では、マルチスクリーンに映像データを表示することは困難である。配線の制約に関わらず映像データを正しく表示することができるマルチスクリーン表示装置が望まれる。
【０００５】
また、ｎ個の表示装置の接続順が間違えている場合がある。このため、従来のマルチスクリーン表示装置では、映像データを正確に表示するために、ｎ個の表示装置に表示される映像ブロック列の中のｎ個の映像ブロックのうちの第１映像ブロック群の第１映像ブロックの表示位置を変更しなければならない。このとき、操作者は、第１映像ブロック群の第１映像ブロックのそれぞれに対応するｎ個の表示装置のうちの第１表示装置のそれぞれに接続された通信ケーブルの配線を変えて、マルチスクリーンに映像データを表示しなければならない。配線を変えることは、時間と労力とを消費する。配線を変えずに映像データを正しく表示することができるマルチスクリーン表示装置が望まれる。
【０００６】
従来のマルチスクリーン表示装置として、ｎ個の表示ユニットの接続順を判定する技術を紹介する（特許文献１参照）。
特許文献１に記載された発明の背景では、表示ユニットの総台数や各表示ユニットの設置条件が変わる都度、各表示ユニットでの拡大率や拡大する場所も異なるため、すべての表示ユニットを組立てた後に、通信ケーブルを介して各表示ユニット毎の拡大率を設定する必要があり、セッティングに多くの手間を要するという不都合があった（特許文献１の段落番号［０００４］）。
特許文献１では、各表示ユニットの拡大率の設定を容易に行えるようにしている（特許文献１の段落番号［０００５］、［００３７］、［００３９］）。
【０００７】
従来のマルチスクリーン表示装置は、ｎ個の表示ユニットを具備する。図１５に示されるように、ｎ個（９個）の表示ユニットである表示ユニット１０１〜１０９は、マルチスクリーンが形成されるように第１番目から第９番目まで順に接続されている（特許文献１の図２）。
【０００８】
図１６に示されるように、表示ユニット１０１〜１０９のそれぞれは、接続手段（コネクタ）と、制御回路１１１と、セレクタ回路１１２と、電源回路１１３と、記憶手段１１４とを具備する（特許文献１の請求項１、図１）。接続手段（コネクタ）は、複数の表示ユニットを、双方向通信が可能な通信ケーブルを介して直列に接続し、前段ユニットから後段ユニット、及び後段ユニットから前段ユニットへ信号を送受可能にしている。制御回路１１１は、自己の表示ユニットの各種制御を行うとともに、他の表示ユニットとの間の情報の授受処理を行う。セレクタ回路１１２は、接続手段（コネクタ）を介して入出力される情報の伝達を制御する。電源回路１１３は、各表示ユニットに動作用の電源電圧を供給する。直列接続された表示ユニット１０１〜１０９のうち、１番目の表示ユニットである表示ユニット１０１は、マスターユニットとして動作し、接続手段（コネクタ）を介して供給される他の表示ユニットからの情報を基に表示ユニットの総台数および各表示ユニットの接続順を判定し、各表示ユニットの記憶手段１１４にそれぞれ識別信号を記憶させる。
【０００９】
ここで、識別信号は、総台数や接続順を示すデータである。各表示ユニットの記憶手段１１４にそれぞれ識別信号を記憶させるとき、表示ユニット１０１（マスターユニット）は、接続順「１」を自己の記憶手段１１４に記憶し、接続順を＋１加算し、新たな接続順「２」を表すデータを生成し、２番目の表示ユニットである表示ユニット１０２に出力する。表示ユニット１０２は、接続順「２」を自己の記憶手段１１４に記憶する。表示ユニット１０１（マスターユニット）は、表示ユニット１０３〜１０９についても同様の動作を行い、表示ユニット１０１、１０２、１０３、１０４、１０５、１０６、１０７、１０８、１０９のそれぞれの記憶手段１１４には、識別信号として接続順「１」、「２」、「３」、「４」、「５」、「６」、「７」、「８」、「９」が記憶される。表示ユニット１０１（マスターユニット）は、この識別信号を利用して各表示ユニットの拡大率を設定する（特許文献１の段落番号［００２２］〜［００３７］、図３）。
【００１０】
【特許文献１】
特開２０００−２７６０９９号公報
【００１１】
【発明が解決しようとする課題】
本発明の目的は、映像データを正しく表示することができるマルチスクリーン表示装置を提供することにある。
本発明の他の目的は、配線の制約に関わらず映像データを正しく表示することができるマルチスクリーン表示装置を提供することにある。
本発明の更に他の目的は、配線を変えずに映像データを正しく表示することができるマルチスクリーン表示装置を提供することにある。
【００１２】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１３】
本発明のマルチスクリーン表示装置は、ｎ個の表示装置（ｎは２以上の整数；２−１〜２−ｎ）のそれぞれに対して設けられたｎ個の表示制御装置（１−１〜１−ｎ）と、制御装置（３）とを具備する。ｎ個の表示制御装置（１−１〜１−ｎ）は、ｎ個の表示装置（２−１〜２−ｎ）によりマルチスクリーンが形成されるように第１番目から第ｎ番目まで順に接続されている。ｎ個の表示制御装置（１−１〜１−ｎ）、制御装置（３）は、コンピュータである。制御装置（３）は、コンピュータプログラムであるＩＤ設定制御部（７）、映像制御部（８）を備えている。
ＩＤ設定制御部（７）は、ｎ個の表示制御装置（１−１〜１−ｎ）のそれぞれに対して装置ＩＤ列の中のｎ個の装置ＩＤのそれぞれを割り当てる（Ｓ１、Ｓ２、Ｓ１１〜Ｓ１８）。装置ＩＤ列の中のｎ個の装置ＩＤのそれぞれに対して映像データを構成する映像ブロック列の中のｎ個の映像ブロック（４−１〜４−ｎ）のそれぞれが対応付けられている。
映像制御部（８）は、装置ＩＤ列に基づいて、映像ブロック列の中のｎ個の映像ブロック（４−１〜４−ｎ）のそれぞれがｎ個の表示装置（２−１〜２−ｎ）のそれぞれに表示されるようにｎ個の表示制御装置（１−１〜１−ｎ）を制御する（Ｓ２１、Ｓ３１〜Ｓ３６、Ｓ４１、Ｓ５１）。
ＩＤ設定制御部（７）は、装置ＩＤ列の中のｎ個の装置ＩＤの順番を外部命令に従って変更する（Ｓ１）。
【００１４】
本発明のマルチスクリーン表示装置が利用されるときに、（Ａ）の場合、（Ｂ）の場合、（Ｃ）の場合が挙げられる。（Ａ）の場合とは、ｎ個の表示装置（２−１〜２−ｎ）｛ｎ個の表示制御装置（１−１〜１−ｎ）｝の接続順が予めに決められている場合を表す。（Ｂ）の場合とは、ｎ個の表示装置（２−１〜２−ｎ）｛ｎ個の表示制御装置（１−１〜１−ｎ）｝のそれぞれに接続される通信ケーブルの配線の制約によって、ｎ個の表示装置（２−１〜２−ｎ）｛ｎ個の表示制御装置（１−１〜１−ｎ）｝の接続順が変更された場合を表す。（Ｃ）の場合とは、ｎ個の表示装置（２−１〜２−ｎ）｛ｎ個の表示制御装置（１−１〜１−ｎ）｝の接続順が間違えている場合を表す。
本発明のマルチスクリーン表示装置によれば、映像制御部（８）が、装置ＩＤ列に基づいて、映像ブロック列の中のｎ個の映像ブロック（４−１〜４−ｎ）のそれぞれがｎ個の表示装置（２−１〜２−ｎ）のそれぞれに表示されるようにｎ個の表示制御装置（１−１〜１−ｎ）を制御するため、（Ａ）の場合、マルチスクリーンに映像データを正しく表示することができる。
本発明のマルチスクリーン表示装置によれば、ＩＤ設定制御部（７）が、装置ＩＤ列の中のｎ個の装置ＩＤの順番を外部命令に従って変更するため、（Ｂ）の場合、ｎ個の表示制御装置（１−１〜１−ｎ）のそれぞれに接続される通信ケーブルの配線の制約に関わらず、マルチスクリーンに映像データを正しく表示することができる。
本発明のマルチスクリーン表示装置によれば、ＩＤ設定制御部（７）が、装置ＩＤ列の中のｎ個の装置ＩＤの順番を外部命令に従って変更するため、（Ｃ）の場合、ｎ個の表示制御装置（１−１〜１−ｎ）のそれぞれに接続された通信ケーブルの配線を変えることなく、マルチスクリーンに映像データを正しく表示することができる。
【００１５】
本発明のマルチスクリーン表示装置によれば、（Ｃ）の場合、ｎ個の表示装置（２−１〜２−ｎ）に表示される映像ブロック列の中のｎ個の映像ブロック（４−１〜４−ｎ）のうちの第１映像ブロック群の表示位置を変更する必要がある。このとき、ＩＤ設定制御部（７）は、外部命令に従って、第１映像ブロック群の第１映像ブロックのそれぞれに対して対応する装置ＩＤ列の中のｎ個の装置ＩＤの第１装置ＩＤの順番を変更する（Ｓ１）。このため、本発明のマルチスクリーン表示装置によれば、（Ｃ）の場合、ｎ個の表示制御装置（１−１〜１−ｎ）のそれぞれに接続された通信ケーブルの配線を変える必要がない。
【００１６】
外部命令は、ＩＤ設定制御部（７）を操作する操作者により行われる。
【００１７】
ＩＤ設定制御部（７）は、ｎ個の表示制御装置（１−１〜１−ｎ）のそれぞれに対して装置ＩＤ列の中のｎ個の装置ＩＤのそれぞれを割り当てるときに（Ｓ１、Ｓ２、Ｓ１１〜Ｓ１８）、第１ＩＤ設定コマンドを用いることが好ましい。第１ＩＤ設定コマンドを用いる場合について以下に説明する。
ＩＤ設定制御部（７）は、第１ＩＤ設定コマンドをｎ個の表示制御装置（１−１〜１−ｎ）のうちの第１番目の表示制御装置に送信する（Ｓ２）。第１ＩＤ設定コマンドは、第１番目から第ｎ番目まで順に配列された装置ＩＤ列の中のｎ個の装置ＩＤを含む。
第ｊ番目の表示制御装置（１≦ｊ≦ｎを満たす整数）は、記憶装置（２０）と、登録部（１４）と、生成部（１５、１６、１７）とを備えている。登録部（１４）、生成部（１５、１６、１７）は、コンピュータプログラムである。
第ｊ番目の表示制御装置の登録部（１４）は、第ｊＩＤ設定コマンドに含まれる装置ＩＤ列の中の｛ｎ−（ｊ−１）｝個の装置ＩＤのうちの第ｊ番目の装置ＩＤを第ｊ番目の表示制御装置の記憶装置（２０）に登録する（Ｓ１１、Ｓ１２）。
ｊがｎ以外のとき、第ｊ番目の表示制御装置の生成部（１５、１６、１７）は、第（ｊ＋１）ＩＤ設定コマンドを生成して第（ｊ＋１）番目の表示制御装置に送信する（Ｓ１３、Ｓ１４−ＹＥＳ、Ｓ１５、Ｓ１６）。この第（ｊ＋１）ＩＤ設定コマンドは、第（ｊ＋１）番目から第ｎ番目まで順に配列された装置ＩＤ列の中の（ｎ−ｊ）個の装置ＩＤを含む。
【００１８】
ｊがｎのとき、第ｊ番目の表示制御装置の生成部（１５、１６、１７）は、第（ｊ＋１）ＩＤ設定コマンドとして設定完了情報を生成し、第（ｊ＋１）番目の表示制御装置として映像制御部（８）に設定完了情報を送信することが好ましい（Ｓ１３、Ｓ１４−ＮＯ、Ｓ１７、Ｓ１８）。この設定完了情報は、ｎ個の表示制御装置（１−１〜１−ｎ）のそれぞれに対して装置ＩＤ列の中のｎ個の装置ＩＤのそれぞれが割り当てられたことを表す。
【００１９】
映像制御部（８）は、映像ブロック列の中のｎ個の映像ブロック（４−１〜４−ｎ）のそれぞれをｎ個の表示制御装置（１−１〜１−ｎ）のそれぞれによってｎ個の表示装置（２−１〜２−ｎ）のそれぞれに表示するために（Ｓ２１、Ｓ３１〜Ｓ３６、Ｓ４１、Ｓ５１）、ｎ個の映像制御コマンドを用いることが好ましい。ｎ個の映像制御コマンドを用いる場合について以下に説明する。
映像制御部（８）は、ｎ個の映像制御コマンドを第１番目の表示制御装置に送信する（Ｓ２１）。ｎ個の映像制御コマンドのそれぞれに対して装置ＩＤ列の中のｎ個の装置ＩＤのそれぞれが含まれる。
第ｊ番目の表示制御装置は、更に、映像処理部（１９）と、起動部（１８）と、送信部（１６、１７）を備えている。
第ｊ番目の表示制御装置の起動部（１８）は、｛ｎ−（ｊ−１）｝個の映像制御コマンドのうちの一致映像制御コマンドを検出する（Ｓ３１、Ｓ３２）。一致映像制御コマンドは、第ｊ番目の表示制御装置の記憶装置（２０）に登録された第ｊ番目の装置ＩＤに一致する装置ＩＤを含む。第ｊ番目の表示制御装置の起動部（１８）は、一致映像制御コマンドを検出したとき、非表示モードから表示モードに切り換える（Ｓ３３）。このとき、第ｊ番目の表示制御装置の映像処理部（１９）が起動する。
ｊがｎ以外のとき、第ｊ番目の表示制御装置の送信部（１５、１７）は、一致映像制御コマンド以外の（ｎ−ｊ）個の映像制御コマンドを第（ｊ＋１）番目の表示制御装置に送信する（Ｓ３４、Ｓ３５−ＹＥＳ、Ｓ３６）。
映像制御部（８）は、装置ＩＤ列の中のｎ個の装置ＩＤのそれぞれに対応する映像ブロック列の中のｎ個の映像ブロック（４−１〜４−ｎ）のそれぞれをｎ個の表示制御装置（１−１〜１−ｎ）のそれぞれに送信する（Ｓ４１）。
表示モードのとき、第ｊ番目の表示制御装置の映像処理部（１９）は、映像制御部（８）から送信された映像ブロックを第ｊ番目の表示制御装置に設けられた表示装置に表示する（Ｓ５１）。
【００２０】
【発明の実施の形態】
添付図面を参照して、本発明によるマルチスクリーン表示装置の実施の形態を以下に説明する。
【００２１】
図１は、本発明のマルチスクリーン表示装置の構成を示すブロック図である。本発明のマルチスクリーン表示装置は、展示会、コンサート会場が例示される場所で使用される。本発明のマルチスクリーン表示装置は、表示装置２−１〜２−ｎ（ｎは２以上の整数）のそれぞれに対して設けられた表示制御装置１−１〜１−ｎと、表示制御装置１−１〜１−ｎに通信ケーブルを介して接続された制御装置３とを具備する。表示制御装置１−１〜１−ｎは、表示装置２−１〜２−ｎによりマルチスクリーンが形成されるように第１番目から第ｎ番目まで順に通信ケーブルを介して接続されている。
【００２２】
図２は、本発明のマルチスクリーン表示装置におけるマルチスクリーンが形成される表示装置２−１〜２−ｎの配置を示す。
表示装置２−１〜２−ｎは、ｍ行・ｍ列（ｍ２＝ｎ）に配列され、ｎが９である場合、３行・３列に配列される。表示装置２−１〜２−ｎの形状は、四角形状である。表示装置２−１の辺には、表示装置２−２が設けられている。表示装置２−２の表示装置２−１が設けられた辺に平行な辺には、表示装置２−３が設けられている。表示装置２−３の表示装置２−２が設けられた辺に直交する辺には、表示装置２−４が設けられている。表示装置２−４の表示装置２−３が設けられた辺に平行な辺には、表示装置２−５が設けられている。表示装置２−５の表示装置２−４が設けられた辺に直交する辺には、表示装置２−６が設けられている。表示装置２−６の表示装置２−５が設けられた辺に平行な辺には、表示装置２−７が設けられている。表示装置２−７の表示装置２−６が設けられた辺に直交する辺には、表示装置２−８が設けられている。表示装置２−８の表示装置２−７が設けられた辺に平行な辺には、表示装置２−１が設けられている。表示装置２−８の表示装置２−７が設けられた辺に直交する辺には、表示装置２−９が設けられている。表示装置２−９の表示装置２−８が設けられた辺に平行な辺には、表示装置２−４が設けられている。表示装置２−９の表示装置２−８が設けられた辺に直交する辺には、表示装置２−２が設けられている。表示装置２−９の表示装置２−２が設けられた辺に平行な辺には、表示装置２−６が設けられている。
【００２３】
図３は、本発明のマルチスクリーン表示装置の制御装置３の構成を示すブロック図である。制御装置３は、ＣＰＵ（Ｃｅｎｔｒａｌ  Ｐｒｏｃｅｓｓｉｎｇ  Ｕｎｉｔ）５、メモリ６を備えている。メモリ６には、ＣＰＵ５が実行するためのコンピュータプログラムである後述するＩＤ設定制御部７、映像制御部８が格納されている。メモリ６には、更に、後述する対応データベース９が格納されている。
【００２４】
図４（ａ）は、本発明のマルチスクリーン表示装置における制御コマンドとして第１ＩＤ設定コマンドを示す。
上記のＩＤ設定制御部７は、第１ＩＤ設定コマンドを生成する。第１ＩＤ設定コマンドは、表示制御装置１−１〜１−ｎのそれぞれに対して装置ＩＤ列の中のｎ個の装置ＩＤのそれぞれを割り当てるために用いられる制御コマンドである。
第１ＩＤ設定コマンドは、コマンド種別として第１ＩＤ設定コマンドを識別するためのＩＤ設定コマンド識別子と、コマンド制御量として装置ＩＤ列の中のｎ個の装置ＩＤとを含む。装置ＩＤ列の中のｎ個の装置ＩＤは、第１番目の装置ＩＤから第ｎ番目の装置ＩＤまで順に配列されている。装置ＩＤ列の中のｎ個の装置ＩＤのそれぞれに対して、映像データを構成する映像ブロック列の中のｎ個の映像ブロックのそれぞれが対応付けられている（後述）。
【００２５】
図４（ｂ）は、本発明のマルチスクリーン表示装置における制御コマンドとしてｎ個の映像制御コマンドを示す。
上記の映像制御部８は、ｎ個の映像制御コマンドを生成する。ｎ個の映像制御コマンドのそれぞれは、上記の映像データを構成する映像ブロック列の中のｎ個の映像ブロックのそれぞれが表示装置２−１〜２−ｎのそれぞれに表示されるように、装置ＩＤ列の中のｎ個の装置ＩＤのそれぞれに基づいて表示制御装置１−１〜１−ｎのそれぞれを制御するために用いられる制御コマンドである。
ｎ個の映像制御コマンドのそれぞれは、コマンド種別として映像制御コマンドを識別するための映像制御コマンド識別子と、宛先装置ＩＤとして第ｊ番目（１≦ｊ≦ｎを満たす整数）の表示制御装置に割り当てられた第ｊ番目の装置ＩＤと、コマンド制御量として第ｊ番目の表示制御装置がコントラストを制御するためのコントラストの値とを含む。
【００２６】
本発明のマルチスクリーン表示装置が利用されるときに、（Ａ）の場合、（Ｂ）の場合、（Ｃ）の場合が挙げられる。
（Ａ）の場合とは、表示装置２−１〜２−ｎ（表示制御装置１−１〜１−ｎ）の接続順が予めに決められている場合を表す。
（Ｂ）の場合とは、表示装置２−１〜２−ｎ（表示制御装置１−１〜１−ｎ）のそれぞれに接続される通信ケーブルの配線の制約によって、表示装置２−１〜２−ｎ（表示制御装置１−１〜１−ｎ）の接続順が変更された場合を表す。
（Ｃ）の場合とは、表示装置２−１〜２−ｎ（表示制御装置１−１〜１−ｎ）の接続順が間違えている場合を表す。
【００２７】
まず、（Ａ）表示装置２−１〜２−ｎ（表示制御装置１−１〜１−ｎ）の接続順が予めに決められている場合、図５（ａ）に示されるように、表示装置２−１〜２−ｎが表示装置２−１、２−２、２−３、２−４、２−５、２−６、２−７、２−８、２−ｎ（２−９）の順に接続されているものとする。すなわち、表示制御装置１−１〜１−ｎが表示制御装置１−１、１−２、１−３、１−４、１−５、１−６、１−７、１−８、１−ｎ（１−９）の順に接続されているものとする。ここで、表示制御装置１−１、１−２、１−３、１−４、１−５、１−６、１−７、１−８、１−ｎ（１−９）のそれぞれを、第１番目の表示制御装置、第２番目の表示制御装置、第３番目の表示制御装置、第４番目の表示制御装置、第５番目の表示制御装置、第６番目の表示制御装置、第７番目の表示制御装置、第８番目の表示制御装置、第９番目の表示制御装置のそれぞれとする。
【００２８】
操作者は、制御装置３を操作して、図５（ｂ）に示されるように、接続順“１”、“２”、“３”、“４”、“５”、“６”、“７”、“８”、“９”のそれぞれに対応付けて、装置ＩＤ列の中のｎ個の装置ＩＤである装置ＩＤ“１”、“２”、“３”、“４”、“５”、“６”、“７”、“８”、“９”のそれぞれを対応データベース９に格納しておく。
更に、操作者は、制御装置３を操作して、図５（ｂ）に示されるように、接続順“１”、“２”、“３”、“４”、“５”、“６”、“７”、“８”、“９”のそれぞれに対応付けて、ｎ個の映像ブロック識別子のそれぞれと、ｎ個のコントラストの値のそれぞれとを対応データベース９に格納しておく。ｎ個の映像ブロック識別子のそれぞれは、上記の映像データを構成する映像ブロック列の中のｎ個の映像ブロックとして映像ブロック４−１、４−２、４−３、４−４、４−５、４−６、４−７、４−８、４−ｎ（４−９）のそれぞれを識別する識別子である。ｎ個の映像ブロック識別子のそれぞれは、映像制御部８が、後述する基本映像データを分割したｎ個の基本映像ブロックのそれぞれをＸ倍（Ｘは１以上の整数）して映像ブロック４−１〜４−ｎ（４−９）のそれぞれを生成するための拡大率を含む。
【００２９】
図５（ｃ）は、図５（ｂ）の場合にＩＤ設定制御部７によって生成される第１ＩＤ設定コマンドを示す。
上記のＩＤ設定制御部７は、操作者が行う制御装置３の操作により（外部命令に従って）、対応データベース９を参照して、図５（ｃ）に示されるような第１ＩＤ設定コマンドを生成する。（Ａ）の場合、第１ＩＤ設定コマンドに含まれる装置ＩＤ列の中のｎ個の装置ＩＤとして、第１番目から第ｎ番目（第９番目）まで順に、装置ＩＤ“１”、“２”、“３”、“４”、“５”、“６”、“７”、“８”、“９”が配列されている。ＩＤ設定制御部７は、第１ＩＤ設定コマンドを表示制御装置１−１〜１−ｎのうちの第１番目の表示制御装置に送信する。この第１ＩＤ設定コマンドにより、表示制御装置１−１〜１−ｎのそれぞれは、制御コマンドがＩＤ設定コマンドであることを認識し、表示制御装置１−１、１−２、１−３、１−４、１−５、１−６、１−７、１−８、１−ｎ（１−９）のそれぞれに対して装置ＩＤ列の中の装置ＩＤ“１”、“２”、“３”、“４”、“５”、“６”、“７”、“８”、“９”のそれぞれが割り当てられる（後述）。
【００３０】
上記の映像制御部８は、第ｎ番目（第９番目）の表示制御装置から送信された設定完了情報を受信する。設定完了情報は、表示制御装置１−１〜１−ｎのそれぞれに対して装置ＩＤ列の中のｎ個の装置ＩＤのそれぞれが割り当てられたことを表す。映像制御部８は、設定完了情報を受信したときに、対応データベース９を参照して、ｎ個の映像制御コマンドを生成する。（Ａ）の場合、ｎ個の映像制御コマンドのそれぞれに含まれる宛先装置ＩＤは、装置ＩＤ“１”、“２”、“３”、“４”、“５”、“６”、“７”、“８”、“９”のそれぞれである。映像制御部８は、ｎ個の映像制御コマンドを第１番目の表示制御装置に送信する。表示制御装置１−１〜１−ｎのそれぞれは、ｎ個の映像制御コマンドのそれぞれに含まれる装置ＩＤのうち、自身に割り当てられた装置ＩＤに一致する装置ＩＤが存在するときに非表示モードから表示モードに切り換える（後述）。
【００３１】
映像制御部８は、外部から基本映像データを入力し、その基本映像データを分割してｎ個の基本映像ブロックを生成する。ｎ個の基本映像ブロックは、ｍ行・ｍ列（ｍ２＝ｎ）に配列され、ｎが９である場合、３行・３列に配列される。ｎ個の基本映像ブロックの形状は、四角形状である。映像制御部８は、対応データベース９を参照して、ｎ個の基本映像ブロックを拡大して、上記の映像データを構成する映像ブロック列の中の映像ブロック４−１〜４−ｎを生成する。映像制御部８は、対応データベース９を参照して、ｎ個の宛先装置ＩＤとして装置ＩＤ“１”、“２”、“３”、“４”、“５”、“６”、“７”、“８”、“９”のそれぞれに対応付けられた映像ブロック列の中の映像ブロック４−１、４−２、４−３、４−４、４−５、４−６、４−７、４−８、４−ｎ（４−９）のそれぞれを表示制御装置１−１、１−２、１−３、１−４、１−５、１−６、１−７、１−８、１−ｎ（１−９）のそれぞれに送信する。これにより、表示制御装置１−１、１−２、１−３、１−４、１−５、１−６、１−７、１−８、１−ｎ（１−９）のそれぞれは、映像ブロック４−１、４−２、４−３、４−４、４−５、４−６、４−７、４−８、４−ｎ（４−９）のそれぞれを表示装置２−１、２−２、２−３、２−４、２−５、２−６、２−７、２−８、２−ｎ（２−９）のそれぞれに表示し、マルチスクリーンには映像データが表示される。
このように、本発明のマルチスクリーン表示装置によれば、（Ａ）表示装置２−１〜２−ｎ（表示制御装置１−１〜１−ｎ）の接続順が予めに決められている場合、マルチスクリーンに映像データを正しく表示することができる。
【００３２】
次に、（Ｂ）表示装置２−１〜２−ｎ（表示制御装置１−１〜１−ｎ）のそれぞれに接続される通信ケーブルの配線の制約によって、表示装置２−１〜２−ｎ（表示制御装置１−１〜１−ｎ）の接続順が変更される場合、図６（ａ）に示されるように、表示装置２−１〜２−ｎが表示装置２−１、２−８、２−７、２−６、２−ｎ（２−９）、２−２、２−３、２−４、２−５の順に接続されているものとする。すなわち、表示制御装置１−１〜１−ｎが表示制御装置１−１、１−８、１−７、１−６、１−ｎ（１−９）、１−２、１−３、１−４、１−５の順に接続されているものとする。ここで、表示制御装置表示制御装置１−１、１−８、１−７、１−６、１−ｎ（１−９）、１−２、１−３、１−４、１−５のそれぞれを、第１番目の表示制御装置、第２番目の表示制御装置、第３番目の表示制御装置、第４番目の表示制御装置、第５番目の表示制御装置、第６番目の表示制御装置、第７番目の表示制御装置、第８番目の表示制御装置、第９番目の表示制御装置のそれぞれとする。（Ｂ）の場合では（Ａ）の場合と重複する説明を省略する。
【００３３】
操作者は、制御装置３を操作して、装置ＩＤ列の中のｎ個の装置ＩＤ（装置ＩＤ“８”、“７”、“６”、“９”、“２”、“３”、“４”、“５”）の順番を変更する。すなわち、図６（ｂ）に示されるように、操作者は、制御装置３を操作して、接続順“１”、“２”、“３”、“４”、“５”、“６”、“７”、“８”、“９”のそれぞれに対応付けて、装置ＩＤ列の中のｎ個の装置ＩＤである装置ＩＤ“１”、“８”、“７”、“６”、“９”、“２”、“３”、“４”、“５”のそれぞれを対応データベース９に格納する。ＩＤ設定制御部７は、操作者が行う制御装置３の操作により（外部命令に従って）、図６（ｃ）に示されるような第１ＩＤ設定コマンドを生成して第１番目の表示制御装置に送信する。表示制御装置１−１、１−８、１−７、１−６、１−ｎ（１−９）、１−２、１−３、１−４、１−５のそれぞれに対して装置ＩＤ列の中のｎ個の装置ＩＤ“１”、“８”、“７”、“６”、“９”、“２”、“３”、“４”、“５”のそれぞれが割り当てられる。これにより、表示制御装置１−１、１−８、１−７、１−６、１−ｎ（１−９）、１−２、１−３、１−４、１−５のそれぞれは、映像ブロック４−１、４−２、４−３、４−４、４−５、４−６、４−７、４−８、４−ｎ（４−９）のそれぞれを表示装置２−１、２−８、２−７、２−６、２−ｎ（２−９）、２−２、２−３、２−４、２−５のそれぞれに表示し、マルチスクリーンには映像データが正しく表示される。
このように、本発明のマルチスクリーン表示装置によれば、（Ｂ）表示装置２−１〜２−ｎ（表示制御装置１−１〜１−ｎ）のそれぞれに接続される通信ケーブルの配線の制約によって、表示装置２−１〜２−ｎ（表示制御装置１−１〜１−ｎ）の接続順が変更された場合、表示制御装置１−１〜１−ｎ（１−９）のそれぞれに接続される通信ケーブルの配線の制約に関わらず、マルチスクリーンに映像データを正しく表示することができる。
【００３４】
次に、（Ｃ）表示装置２−１〜２−ｎ（表示制御装置１−１〜１−ｎ）の接続順が間違えている場合、図５（ａ）に示されるように、表示装置２−１〜２−ｎが表示装置２−１、２−２、２−３、２−４、２−５、２−６、２−７、２−８、２−ｎ（２−９）の順に接続されているのではなく、図６（ａ）に示されるように、実際には、表示装置２−１〜２−ｎが表示装置２−１、２−８、２−７、２−６、２−ｎ（２−９）、２−２、２−３、２−４、２−５の順に接続されているものとする。すなわち、表示制御装置１−１〜１−ｎが表示制御装置１−１、１−２、１−３、１−４、１−５、１−６、１−７、１−８、１−ｎ（１−９）の順に接続されているのではなく、実際には、表示制御装置１−１〜１−ｎが表示制御装置１−１、１−８、１−７、１−６、１−ｎ（１−９）、１−２、１−３、１−４、１−５の順に接続されているものとする。（Ｃ）の場合では（Ａ）の場合と重複する説明を省略する。
（Ｃ）の場合、表示制御装置１−１、１−８、１−７、１−６、１−ｎ（１−９）、１−２、１−３、１−４、１−５のそれぞれに対して装置ＩＤ列の中のｎ個の装置ＩＤ“１”、“２”、“３”、“４”、“５”、“６”、“７”、“８”、“９”のそれぞれが割り当てられている。このため、映像データを正確に表示するために、表示装置２−１〜２−ｎに表示される映像ブロック列の中の映像ブロック４−１〜４−ｎのうちの第１映像ブロック群の第１映像ブロック（映像ブロック４−８、４−７、４−６、４−９、４−２、４−３、４−４、４−５）の表示位置を変更しなければならない。
【００３５】
このとき、操作者は、第１映像ブロック群の第１映像ブロック４−８、４−７、４−６、４−９、４−２、４−３、４−４、４−５のそれぞれに対応する表示制御装置１−１〜１−ｎのうちの第１表示制御装置１−８、１−７、１−６、１−ｎ（１−９）、１−２、１−３、１−４、１−５のそれぞれに接続された通信ケーブルの配線を変えない。操作者は、制御装置３を操作して、第１映像ブロック群の第１映像ブロック４−８、４−７、４−６、４−９、４−２、４−３、４−４、４−５のそれぞれに対応する装置ＩＤ列の中のｎ個の装置ＩＤの第１装置ＩＤ（装置ＩＤ“８”、“７”、“６”、“９”、“２”、“３”、“４”、“５”）の順番を変更する。
すなわち、図６（ｂ）に示されるように、操作者は、制御装置３を操作して、接続順“１”、“２”、“３”、“４”、“５”、“６”、“７”、“８”、“９”のそれぞれに対応付けて、装置ＩＤ列の中のｎ個の装置ＩＤである装置ＩＤ“１”、“８”、“７”、“６”、“９”、“２”、“３”、“４”、“５”のそれぞれを対応データベース９に格納する。ＩＤ設定制御部７は、操作者が行う制御装置３の操作により（外部命令に従って）、図６（ｃ）に示されるような第１ＩＤ設定コマンドを生成して第１番目の表示制御装置に送信する。表示制御装置１−１、１−８、１−７、１−６、１−ｎ（１−９）、１−２、１−３、１−４、１−５のそれぞれに対して装置ＩＤ列の中のｎ個の装置ＩＤ“１”、“８”、“７”、“６”、“９”、“２”、“３”、“４”、“５”のそれぞれが新たに割り当てられる。これにより、表示制御装置１−１、１−８、１−７、１−６、１−ｎ（１−９）、１−２、１−３、１−４、１−５のそれぞれは、映像ブロック４−１、４−２、４−３、４−４、４−５、４−６、４−７、４−８、４−ｎ（４−９）のそれぞれを表示装置２−１、２−８、２−７、２−６、２−ｎ（２−９）、２−２、２−３、２−４、２−５のそれぞれに表示し、マルチスクリーンには映像データが正しく表示される。
このように、本発明のマルチスクリーン表示装置によれば、（Ｃ）表示装置２−１〜２−ｎ（表示制御装置１−１〜１−ｎ）の接続順が間違えている場合、表示制御装置１−１〜１−ｎ（１−９）のそれぞれに接続された通信ケーブルの配線を変えることなく、マルチスクリーンに映像データを正しく表示することができる。
【００３６】
図７は、本発明のマルチスクリーン表示装置の表示制御装置１−１〜１−ｎのそれぞれの構成を示す｛表示制御装置１−ｊ（１≦ｊ≦ｎを満たす整数）の構成を示す｝の構成を示すブロック図である。表示制御装置１−ｊは、表示装置２−ｊに接続されたコンピュータ１０を備えている。表示制御装置１−ｊのコンピュータ１０は、ＣＰＵ１１、メモリ１２を備えている。
図８は、本発明のマルチスクリーン表示装置の表示制御装置１−ｊのメモリを示すブロック図である。表示制御装置１−ｊのメモリ１２には、そのＣＰＵ１１が実行するためのコンピュータプログラムである後述する受信部１３、登録部１４、削除部１５、生成部１６、送信部１７が格納されている。表示制御装置１−ｊのメモリ１２には、更に、後述する装置ＩＤデータベース２０が格納されている。
【００３７】
第ｊ番目の表示制御装置の受信部１３は、第ｊＩＤ設定コマンドを受信する。ｊが１のとき、第１番目の表示制御装置の受信部１３は、制御装置３から送信された第１ＩＤ設定コマンドを受信する。
第ｊ番目の表示制御装置の登録部１４は、第ｊＩＤ設定コマンドに含まれる装置ＩＤ列の中の｛ｎ−（ｊ−１）｝個の装置ＩＤのうちの第ｊ番目の装置ＩＤを第ｊ番目の表示制御装置の装置ＩＤデータベース２０に登録する。第ｊ番目の表示制御装置の削除部１５は、第ｊＩＤ設定コマンドに含まれる装置ＩＤ列の中の｛ｎ−（ｊ−１）｝個の装置ＩＤのうちの第ｊ番目の装置ＩＤを削除する。
ｊがｎ以外のとき、第ｊ番目の表示制御装置の生成部１６は、第（ｊ＋１）ＩＤ設定コマンドを生成する。第（ｊ＋１）ＩＤ設定コマンドは、第（ｊ＋１）番目から第ｎ番目まで順に配列された装置ＩＤ列の中の（ｎ−ｊ）個の装置ＩＤを含む。第ｊ番目の表示制御装置の送信部１７は、第（ｊ＋１）ＩＤ設定コマンドを第（ｊ＋１）番目の表示制御装置に送信する。
ｊがｎのとき、第ｊ番目の表示制御装置の生成部１６は、第（ｊ＋１）ＩＤ設定コマンドとして設定完了情報を生成する。設定完了情報は、表示制御装置１−１〜１−ｎのそれぞれに対して装置ＩＤ列の中のｎ個の装置ＩＤのそれぞれが割り当てられたことを表す。第ｊ番目の表示制御装置の送信部１７は、第（ｊ＋１）番目の表示制御装置として制御装置３に設定完了情報を送信する。
【００３８】
図８に示されるように、表示制御装置１−ｊのメモリ１２には、更に、そのＣＰＵ１１が実行するためのコンピュータプログラムである後述する起動部１８、映像処理部１９が格納されている。
【００３９】
第ｊ番目の表示制御装置の受信部１３は、制御装置３から送信された｛ｎ−（ｊ−１）｝個の映像制御コマンドを受信する。第ｊ番目の表示制御装置の起動部１８は、｛ｎ−（ｊ−１）｝個の映像制御コマンドのうち、一致映像制御コマンドを検出する。一致映像制御コマンドは、第ｊ番目の表示制御装置の装置ＩＤデータベース２０に登録された装置ＩＤに一致する装置ＩＤを含む。
第ｊ番目の表示制御装置の起動部１８は、一致映像制御コマンドに含まれるコントラストの値を第ｊ番目の表示制御装置の装置ＩＤデータベース２０に登録し、非表示モードから表示モードに切り換える。表示モードである場合、第ｊ番目の表示制御装置の映像処理部１９が起動する。
第ｊ番目の表示制御装置の削除部１５は、｛ｎ−（ｊ−１）｝個の映像制御コマンドのうちの一致映像制御コマンドを削除する。
ｊがｎ以外のとき、第ｊ番目の表示制御装置の送信部１７は、（ｎ−ｊ）個の映像制御コマンドを第（ｊ＋１）番目の表示制御装置に送信する。
ｊがｎのとき、第ｊ番目の表示制御装置の生成部１６は、切換完了情報を生成する（ステップＳ３７）。切換完了情報は、表示制御装置１−１〜１−ｎのそれぞれが非表示モードから表示モードに切り換えたことを表す。第ｊ番目の表示制御装置の送信部１７は、第（ｊ＋１）番目の表示制御装置として制御装置３に切換完了情報を送信する。
第ｊ番目の表示制御装置の映像処理部１９は、制御装置３から送信された映像ブロックを、装置ＩＤデータベース２０に登録されたコントラストの値で、第ｊ番目の表示装置（第ｊ番目の表示制御装置に設けられた表示装置）に表示する。
【００４０】
上記の（Ａ）表示装置２−１〜２−ｎ（表示制御装置１−１〜１−ｎ）の接続順が予めに決められている場合、表示制御装置１−１、１−２、１−３、１−４、１−５、１−６、１−７、１−８、１−ｎ（１−９）のそれぞれの登録部１４は、装置ＩＤ“１”、“２”、“３”、“４”、“５”、“６”、“７”、“８”、“９”のそれぞれを、表示制御装置１−１、１−２、１−３、１−４、１−５、１−６、１−７、１−８、１−ｎ（１−９）のそれぞれの装置ＩＤデータベース２０に登録する。
表示制御装置１−１、１−２、１−３、１−４、１−５、１−６、１−７、１−８、１−ｎ（１−９）のそれぞれの映像処理部１９は、制御装置３から送信された映像ブロック列の中の映像ブロック４−１、４−２、４−３、４−４、４−５、４−６、４−７、４−８、４−ｎ（１−９）のそれぞれを表示装置２−１、２−２、２−３、２−４、２−５、２−６、２−７、２−８、２−ｎ（２−９）のそれぞれに表示する。これにより、マルチスクリーンには映像データが表示される。
このように、本発明のマルチスクリーン表示装置によれば、（Ａ）表示装置２−１〜２−ｎ（表示制御装置１−１〜１−ｎ）の接続順が予めに決められている場合、マルチスクリーンに映像データを正しく表示することができる。
【００４１】
上記の（Ｂ）表示装置２−１〜２−ｎ（表示制御装置１−１〜１−ｎ）のそれぞれに接続される通信ケーブルの配線の制約によって、表示装置２−１〜２−ｎ（表示制御装置１−１〜１−ｎ）の接続順が変更された場合、表示制御装置１−１、１−８、１−７、１−６、１−ｎ（１−９）、１−２、１−３、１−４、１−５のそれぞれに対して、装置ＩＤ列の中の第１番目の装置ＩＤ“１”、第２番目の装置ＩＤ“８”、第３番目の装置ＩＤ“７”、第４番目の装置ＩＤ“６”、第５番目の装置ＩＤ“９”、第６番目の装置ＩＤ“２”、第７番目の装置ＩＤ“３”、第８番目の装置ＩＤ“４”、第９番目の装置ＩＤ“５”のそれぞれが割り当てられる。この（Ｂ）の場合、表示制御装置１−１、１−８、１−７、１−６、１−ｎ（１−９）、１−２、１−３、１−４、１−５のそれぞれの登録部１４は、装置ＩＤ“１”、“８”、“７”、“６”、“９”、“２”、“３”、“４”、“５”のそれぞれを、表示制御装置１−１、１−８、１−７、１−６、１−ｎ（１−９）、１−２、１−３、１−４、１−５のそれぞれの装置ＩＤデータベース２０に登録する。
表示制御装置１−１、１−８、１−７、１−６、１−ｎ（１−９）、１−２、１−３、１−４、１−５のそれぞれの映像処理部１９は、制御装置３から送信された映像ブロック列の中の映像ブロック４−１、４−２、４−３、４−４、４−５、４−６、４−７、４−８、４−ｎ（１−９）のそれぞれを表示装置２−１、２−８、２−７、２−６、２−ｎ（２−９）、２−２、２−３、２−４、２−５のそれぞれに表示する。これにより、マルチスクリーンには映像データが正しく表示される。
このように、本発明のマルチスクリーン表示装置によれば、（Ｂ）表示装置２−１〜２−ｎ（表示制御装置１−１〜１−ｎ）のそれぞれに接続される通信ケーブルの配線の制約によって、表示装置２−１〜２−ｎ（表示制御装置１−１〜１−ｎ）の接続順が変更された場合、表示制御装置１−１〜１−ｎ（１−９）のそれぞれに接続される通信ケーブルの配線の制約に関わらず、マルチスクリーンに映像データを正しく表示することができる。
【００４２】
上記の（Ｃ）表示装置２−１〜２−ｎ（表示制御装置１−１〜１−ｎ）の接続順が間違えている場合、表示制御装置１−１、１−８、１−７、１−６、１−ｎ（１−９）、１−２、１−３、１−４、１−５のそれぞれに対して、装置ＩＤ列の中の第１番目の装置ＩＤ“１”、第２番目の装置ＩＤ“８”、第３番目の装置ＩＤ“７”、第４番目の装置ＩＤ“６”、第５番目の装置ＩＤ“９”、第６番目の装置ＩＤ“２”、第７番目の装置ＩＤ“３”、第８番目の装置ＩＤ“４”、第９番目の装置ＩＤ“５”のそれぞれが新たに割り当てられる。この（Ｃ）の場合、表示制御装置１−１、１−８、１−７、１−６、１−ｎ（１−９）、１−２、１−３、１−４、１−５のそれぞれの登録部１４は、装置ＩＤ“１”、“２”、“３”、“４”、“５”、“６”、“７”、“８”、“９”のそれぞれに代えて、装置ＩＤ“１”、“８”、“７”、“６”、“９”、“２”、“３”、“４”、“５”のそれぞれを、表示制御装置１−１、１−８、１−７、１−６、１−ｎ（１−９）、１−２、１−３、１−４、１−５のそれぞれの装置ＩＤデータベース２０に登録する。
表示制御装置１−１、１−８、１−７、１−６、１−ｎ（１−９）、１−２、１−３、１−４、１−５のそれぞれの映像処理部１９は、制御装置３から送信された映像ブロック列の中の映像ブロック４−１、４−２、４−３、４−４、４−５、４−６、４−７、４−８、４−ｎ（１−９）のそれぞれを表示装置２−１、２−８、２−７、２−６、２−ｎ（２−９）、２−２、２−３、２−４、２−５のそれぞれに表示する。これにより、マルチスクリーンには映像データが正しく表示される。
このように、本発明のマルチスクリーン表示装置によれば、（Ｃ）表示装置２−１〜２−ｎ（表示制御装置１−１〜１−ｎ）の接続順が間違えている場合、表示制御装置１−１〜１−ｎ（１−９）のそれぞれに接続された通信ケーブルの配線を変えることなく、マルチスクリーンに映像データを正しく表示することができる。
【００４３】
次に、本発明のマルチスクリーン表示装置の動作について説明する。本発明のマルチスクリーン表示装置の動作としては、ＩＤ設定コマンド送信処理、ＩＤ設定コマンド認識処理、映像制御コマンド送信処理、映像制御コマンド認識処理、映像ブロック送信処理、映像ブロック表示処理が挙げられる。ＩＤ設定コマンド送信処理、映像制御コマンド送信処理、映像ブロック送信処理は、制御装置３により行われる。ＩＤ設定コマンド認識処理、映像制御コマンド認識処理、映像ブロック表示処理は、表示制御装置１−１〜１−ｎにより行われる。
【００４４】
図９は、本発明のマルチスクリーン表示装置の制御装置３により行われるＩＤ設定コマンド送信処理を示すフローチャートである。
上記の（Ａ）の場合、又は、上記の（Ｂ）の場合、操作者は、接続順“１”、“２”、“３”、“４”、“５”、“６”、“７”、“８”、“９”のそれぞれに対応付けて、表示装置２−１〜２−ｎの接続順として装置ＩＤ列の中のｎ個の装置ＩＤのそれぞれを対応データベース９に格納しておく（ステップＳ１）。
制御装置３のＩＤ設定制御部７は、外部命令に従って、対応データベース９を参照して、第１番目から第ｎ番目まで順に配列された装置ＩＤ列の中のｎ個の装置ＩＤを含む第１ＩＤ設定コマンドを生成し、第１ＩＤ設定コマンドを表示制御装置１−１〜１−ｎのうちの第１番目の表示制御装置に送信する（ステップＳ２）。
【００４５】
図１０は、本発明のマルチスクリーン表示装置の表示制御装置１−１〜１−ｎにより行われるＩＤ設定コマンド認識処理を示すフローチャートである。
第ｊ番目の表示制御装置の受信部１３は、第ｊＩＤ設定コマンドを受信する（ステップＳ１１）。ｊが１のとき、ステップＳ１１にて、第１番目の表示制御装置の受信部１３は、制御装置３から送信された第１ＩＤ設定コマンドを受信する。
第ｊ番目の表示制御装置の登録部１４は、第ｊＩＤ設定コマンドに含まれる装置ＩＤ列の中の｛ｎ−（ｊ−１）｝個の装置ＩＤのうちの第ｊ番目の装置ＩＤを第ｊ番目の表示制御装置の装置ＩＤデータベース２０に登録する（ステップＳ１２）。
第ｊ番目の表示制御装置の削除部１５は、第ｊＩＤ設定コマンドに含まれる装置ＩＤ列の中の｛ｎ−（ｊ−１）｝個の装置ＩＤのうちの第ｊ番目の装置ＩＤを削除する（ステップＳ１３）。
装置ＩＤ列の中の装置ＩＤが１個以上あるとき（ｊがｎ以外のとき）（ステップＳ１４−ＹＥＳ）、第ｊ番目の表示制御装置の生成部１６は、第（ｊ＋１）番目から第ｎ番目まで順に配列された装置ＩＤ列の中の（ｎ−ｊ）個の装置ＩＤを含む第（ｊ＋１）ＩＤ設定コマンドを生成する（ステップＳ１５）。第ｊ番目の表示制御装置の送信部１７は、第（ｊ＋１）ＩＤ設定コマンドを第（ｊ＋１）番目の表示制御装置に送信する（ステップＳ１６）。
一方、装置ＩＤ列の中に装置ＩＤがないとき（ｊがｎのとき）（ステップＳ１４−ＮＯ）、第ｊ番目の表示制御装置の生成部１６は、第（ｊ＋１）ＩＤ設定コマンドとして上記の設定完了情報を生成する（ステップＳ１７）。第ｊ番目の表示制御装置の送信部１７は、第（ｊ＋１）番目の表示制御装置として制御装置３に設定完了情報を送信する（ステップＳ１８）。
【００４６】
図１１は、本発明のマルチスクリーン表示装置の制御装置３により行われる映像制御コマンド送信処理を示すフローチャートである。
制御装置３の映像制御部８は、第ｎ番目（第９番目）の表示制御装置から送信された設定完了情報を受信したときに、対応データベース９を参照してｎ個の映像制御コマンドを生成し、ｎ個の映像制御コマンドを第１番目の表示制御装置に送信する（ステップＳ２１）。
【００４７】
図１２は、本発明のマルチスクリーン表示装置の表示制御装置１−１〜１−ｎにより行われる映像制御コマンド認識処理を示すフローチャートである。
第ｊ番目の表示制御装置の受信部１３は、｛ｎ−（ｊ−１）｝個の映像制御コマンドを受信する（ステップＳ３１）。
第ｊ番目の表示制御装置の起動部１８は、｛ｎ−（ｊ−１）｝個の映像制御コマンドのうちの一致映像制御コマンド（第ｊ番目の表示制御装置の装置ＩＤデータベース２０に登録された装置ＩＤに一致する装置ＩＤを含む映像制御コマンド）を検出する（ステップＳ３２）。
第ｊ番目の表示制御装置の起動部１８は、一致映像制御コマンドに含まれるコントラストの値を第ｊ番目の表示制御装置の装置ＩＤデータベース２０に登録し、非表示モードから表示モードに切り換える。このとき、第ｊ番目の表示制御装置の映像処理部１９が起動する（ステップＳ３３）。
第ｊ番目の表示制御装置の削除部１５は、｛ｎ−（ｊ−１）｝個の映像制御コマンドのうちの一致映像制御コマンドを削除する（ステップＳ３４）。
映像制御コマンドが１個以上あるとき（ｊがｎ以外のとき）（ステップＳ３５−ＹＥＳ）、第ｊ番目の表示制御装置の送信部１７は、（ｎ−ｊ）個の映像制御コマンドを第（ｊ＋１）番目の表示制御装置に送信する（ステップＳ３６）。
一方、映像制御コマンドがないとき（ｊがｎのとき）（ステップＳ３５−ＮＯ）、第ｊ番目の表示制御装置の生成部１６は、上記の切換完了情報を生成する（ステップＳ３７）。第ｊ番目の表示制御装置の送信部１７は、第（ｊ＋１）番目の表示制御装置として制御装置３に切換完了情報を送信する（ステップＳ３８）。
【００４８】
なお、制御装置３が外部命令に従って非映像制御コマンド（図示しない）を表示制御装置１−１〜１−ｎに送信し、第ｊ番目の表示制御装置の受信部１３が非映像制御コマンドを受信したとき、第ｊ番目の表示制御装置の起動部１８は、非映像制御コマンドに従って、表示モードから非表示モードに切り換える。このとき、第ｊ番目の表示制御装置の映像処理部１９の起動は終了する。
【００４９】
図１３は、本発明のマルチスクリーン表示装置の制御装置３により行われる映像ブロック送信処理を示すフローチャートである。
映像制御部８は、第ｎ番目（第９番目）の表示制御装置から送信された切換完了情報を受信したときに、対応データベース９を参照して、ｎ個の宛先装置ＩＤのそれぞれに対応付けられた映像ブロック列の中の映像ブロック４−１〜４−ｎ（４−９）のそれぞれを第１番目の表示制御装置〜第ｎ番目の表示制御装置のそれぞれに送信する（ステップＳ４１）。
【００５０】
図１４は、本発明のマルチスクリーン表示装置の表示制御装置１−１〜１−ｎにより行われる映像ブロック表示処理を示すフローチャートである。
第ｊ番目の表示制御装置の映像処理部１９は、制御装置３から送信された映像ブロックを、装置ＩＤデータベース２０に登録されたコントラストの値で、第ｊ番目の表示装置（第ｊ番目の表示制御装置に設けられた表示装置）に表示する（ステップＳ５１）。
【００５１】
上述の（Ｂ）の場合のように、表示装置２−１〜２−ｎに表示される映像ブロック列の中の映像ブロック４−１〜４−ｎのうちの第１映像ブロック群の第１映像ブロックの表示位置を変更する場合、再度、上記のステップＳ１を実行する。ステップＳ１にて、操作者は、制御装置３を操作して、第１映像ブロック群の第１映像ブロックのそれぞれに対応する装置ＩＤ列の中のｎ個の装置ＩＤの第１装置ＩＤの順番を変更する。すなわち、操作者は、制御装置３を操作して、接続順“１”、“２”、“３”、“４”、“５”、“６”、“７”、“８”、“９”のそれぞれに対応付けて対応データベース９に格納された装置ＩＤ列の中のｎ個の装置ＩＤのそれぞれを変更する。その後、本発明のマルチスクリーン表示装置は、上記のステップＳ２、Ｓ１１〜Ｓ１８、Ｓ２１、Ｓ３１〜Ｓ３４、Ｓ４１、Ｓ５１を実行する。
【００５２】
【発明の効果】
以上の説明により、本発明のマルチスクリーン表示装置によれば、（Ａ）表示装置２−１〜２−ｎ（表示制御装置１−１〜１−ｎ）の接続順が予めに決められている場合、マルチスクリーンに映像データを正しく表示することができる。
本発明のマルチスクリーン表示装置によれば、（Ｂ）表示装置２−１〜２−ｎ（表示制御装置１−１〜１−ｎ）のそれぞれに接続される通信ケーブルの配線の制約によって、表示装置２−１〜２−ｎ（表示制御装置１−１〜１−ｎ）の接続順が変更された場合、表示制御装置１−１〜１−ｎ（１−９）のそれぞれに接続される通信ケーブルの配線の制約に関わらず、マルチスクリーンに映像データを正しく表示することができる。
本発明のマルチスクリーン表示装置によれば、（Ｃ）表示装置２−１〜２−ｎ（表示制御装置１−１〜１−ｎ）の接続順が間違えている場合、表示制御装置１−１〜１−ｎ（１−９）のそれぞれに接続された通信ケーブルの配線を変えることなく、マルチスクリーンに映像データを正しく表示することができる。
【図面の簡単な説明】
【図１】図１は、本発明のマルチスクリーン表示装置の構成を示すブロック図である。
【図２】図２は、本発明のマルチスクリーン表示装置におけるマルチスクリーンが形成されるｎ個（９個）の表示装置の配置を示す。
【図３】図３は、本発明のマルチスクリーン表示装置の制御装置の構成を示すブロック図である。
【図４】図４（ａ）は、本発明のマルチスクリーン表示装置における制御コマンドとして第１ＩＤ設定コマンドを示し、図４（ｂ）は、本発明のマルチスクリーン表示装置における制御コマンドとしてｎ個の映像制御コマンドを示す。
【図５】図５（ａ）は、本発明のマルチスクリーン表示装置におけるマルチスクリーンが形成されるｎ個（９個）の表示装置の接続順を示し、図５（ｂ）は、図５（ａ）の場合に対応データベースに格納される情報を示し、図５（ｃ）は、図５（ｂ）の場合にＩＤ設定制御部によって生成される第１ＩＤ設定コマンドを示す。
【図６】図６（ａ）は、本発明のマルチスクリーン表示装置におけるマルチスクリーンが形成されるｎ個（９個）の表示装置の接続順を示し、図６（ｂ）は、図６（ａ）の場合に対応データベースに格納される情報を示し、図６（ｃ）は、図６（ｂ）の場合にＩＤ設定制御部によって生成される第１ＩＤ設定コマンドを示す。
【図７】図７は、本発明のマルチスクリーン表示装置のｎ個の表示制御装置のそれぞれの構成を示すブロック図である。
【図８】図８は、本発明のマルチスクリーン表示装置のｎ個の表示制御装置のそれぞれのメモリを示すブロック図である。
【図９】図９は、本発明のマルチスクリーン表示装置の制御装置により行われるＩＤ設定コマンド送信処理を示すフローチャートである。
【図１０】図１０は、本発明のマルチスクリーン表示装置のｎ個の表示制御装置のそれぞれにより行われるＩＤ設定コマンド認識処理を示すフローチャートである。
【図１１】図１１は、本発明のマルチスクリーン表示装置の制御装置により行われる映像制御コマンド送信処理を示すフローチャートである。
【図１２】図１２は、本発明のマルチスクリーン表示装置のｎ個の表示制御装置のそれぞれにより行われる映像制御コマンド認識処理を示すフローチャートである。
【図１３】図１３は、本発明のマルチスクリーン表示装置の制御装置により行われる映像ブロック送信処理を示すフローチャートである。
【図１４】図１４は、本発明のマルチスクリーン表示装置のｎ個の表示制御装置のそれぞれにより行われる映像ブロック表示処理を示すフローチャートである。
【図１５】図１５は、従来のマルチスクリーン表示装置のｎ個の表示ユニットの構成を示すブロック図である。
【図１６】図１６は、従来のマルチスクリーン表示装置におけるマルチスクリーンが形成される９個の表示ユニットの配置を示す。
【符号の説明】
１−１〜１−ｎ    表示制御装置
２−１〜２−ｎ    表示装置
３    制御装置
４−１〜４−ｎ    映像ブロック
５    ＣＰＵ
６    メモリ
７    ＩＤ設定制御部
８    映像制御部
９    対応データベース
１０    コンピュータ
１１    ＣＰＵ
１２    メモリ
１３    受信部
１４    登録部
１５    削除部
１６    生成部
１７    送信部
１８    起動部
１９    映像処理部
２０    装置ＩＤデータベース
【図１】
2004341188.tif 000003
【図２】
2004341188.tif 000004
【図３】
2004341188.tif 000005
【図４】
2004341188.tif 000006
【図５】
2004341188.tif 000007
【図６】
2004341188.tif 000008
【図７】
2004341188.tif 000009
【図８】
2004341188.tif 000010
【図９】
2004341188.tif 000011
【図１０】
2004341188.tif 000012
【図１１】
2004341188.tif 000013
【図１２】
2004341188.tif 000014
【図１３】
2004341188.tif 000015
【図１４】
2004341188.tif 000016
【図１５】
2004341188.tif 000017
【図１６】
2004341188.tif 000018